(57)【要約】【課題】ベランダ等において使用されるプランターによる植物栽培において、簡便な給水機能を有し、余剰の水や漏洩土壌の簡便処理、温室機能、スタンドの安定載置を達成し、かつ低コストなプランタースタンドを提供する。【解決手段】最上段にプランター載置棚４と、次段に水受け載置棚５を設けたプランタースタンド１であって、プランター載置棚４の上部空間に水平に配設した散水穴６ａを具備する散水パイプ６と、スタンド脚の下部外側にカバー用支柱を嵌合立設するための支柱受けパイプ８とで構成するプランタースタンド。【選択図】  図１
0003107520.tif 000002
【実用新案登録請求の範囲】
【請求項１】
最上段にプランター載置棚と、次段に水受け載置棚を設けたプランタースタンドであって、
該プランター載置棚の上部空間に水平に配設した散水穴を具備する散水パイプと、
該スタンド脚の下部外側にカバー用支柱を嵌合立設するための支柱受パイプとで、
構成することを特徴とするプランタースタンド。
【請求項２】
上記プランター載置棚の上部の散水パイプを支持するアームの下端部はプランター載置棚に枢着され、該枢着部に設けたスプリングにより該散水パイプがプランター載置棚の上面位置に付勢保持されていることを特徴とする請求項１のプランタースタンド。
【請求項３】
上記プランター載置棚の上部空間に配設した散水パイプの両端は開口されており、複数のプランタースタンド間をホース連結し水を順次供給できることを特徴とする請求項１又は２のプランタースタンド。
【請求項４】
上記散水パイプ側のスタンド脚柱の下部端に、スタンド脚柱長さを調整するためのパイプを固定自在に枢着したことを特徴とする請求項１〜３のいずれかに記載のプランタースタンド。
【考案の詳細な説明】
【技術分野】
【０００１】
本考案は、ベランダあるいはそれに類するところで用いる給水機能などを有するプランタースタンドに関する。
【背景技術】
【０００２】
プランタースタンドは、一般に、庭や、ベランダ玄関ポーチ、ベランダなどにおいて、草木など植物を植えた複数のプランターを積載し使用されている。プランターは容器に土壌を詰め草木を植えるものであるから、自然の風雨による大地栽培と異なり、もっぱら人手による水、肥料の補給に依存している。
【０００３】
そこで、プランターによる植物栽培を、自動化、容易化しようとする試みがいくつか提案されている。例えば、特許文献１には、給水に関するものとして、前後方向に階段状に複数のプランター積載台を配設したプランタースタンドの下部に水タンクを設け、電気制御した水やり器のノズル付ホースにより、土壌に自動給水するものが記載されている。
また、特許文献２には、プランター台に載置されたプランター側に立設した柱、パネルから、プランター容器全体に、葉や花弁を傷めることなく万遍に散水するフラワースタンドが記載されている。
【特許文献１】特開平１１−３３２３８２号公報
【特許文献２】特開２０００−１１６２５５号公報
【考案の開示】
【考案が解決しようとする課題】
【０００４】
しかしながら、上記特許文献１に記載のように、高価な電気機器により自動給水を行うものでは、経済性に欠けており家庭で用いるには不向きである。
また、上記特許文献２に記載のように、プランターの上部から容器全体に、葉や花弁を傷めることなく万遍に散水するものでは、ベランダ内側などの狭い場所におけるプランター植物栽培用の給水装置としては適していない。
【０００５】
本考案は、上記のような従来技術の問題に鑑みてなされたもので、特にベランダなどで使用されるプランターを用いた植物栽培において、簡便な給水機能を有し、余剰の水や漏洩土壌の簡便処理、温室機能、スタンドの安定据付等の課題を達成し、かつ低コストなプランタースタンドを提供することにある。
【課題を解決するための手段】
【０００６】
本考案の請求項１に係るプランタースタンドは、最上段にプランター載置棚と、次段に水受け載置棚を設けたプランタースタンドであって、プランター載置棚の上部空間に水平に配設した散水穴を具備する散水パイプと、スタンド脚の下部外側にカバー用支柱を嵌合立設するための支柱受パイプとで、構成されていることを特徴としている。
本考案の請求項２に係るプランタースタンドは、請求項１において、プランター載置棚の上部の散水パイプを支持するアームの下端部はプランター載置棚に枢着され、枢着部に設けたスプリングにより散水パイプがプランター載置棚の上面位置に付勢保持されていることを特徴としている。
【０００７】
本考案の請求項３に係るプランタースタンドは、請求項１又は２において、プランター載置棚の上部空間に配設した散水パイプの両端は開口されており、複数のプランタースタンド間をホース連結し水を順次供給できることを特徴としている。
本考案の請求項４に係るプランタースタンドは、請求項１〜３のいずれかにおいて、散水パイプ側スタンド脚柱の下部端に、スタンド脚柱長さを調整するためのパイプを固定自在に枢着したことを特徴としている。
【考案の効果】
【０００８】
請求項１に係るプランタースタンドは、最上段にプランター載置棚と、次段に水受け載置棚を設けた構成としているから、上部のプランターにおいて生じた余剰の水や漏洩土壌を下部の受け皿で収容することができ、ベランダ床面など外部に流出することがない。さらに、プランター載置棚と水受け載置棚が上下隔離した構成としているので、水受けに溜まった水や漏洩土壌を必要に応じて簡単に廃棄処理できる。
【０００９】
土壌を詰めたプランターは非常に重く、プランター栽培を趣味とすることの多い女性、老人などにとってその移動は容易ではないが、請求項１に係るプランタースタンドは、水受けが単独で清掃、かつ水・漏洩土壌を廃棄処理できるようにしているので、その取り扱いが容易である。また、最上段に載置されたプランターの上面空間に水平に配設した散水パイプにより、プランター長手方向に均一に散水することが出来、散水パイプに給水ホースで必要水量を常時供給することにより、プランターの水遣りが無人化できる。
【００１０】
さらに、プランタースタンドのスタンド脚の下部外側にカバー用支柱を嵌合立設する支柱受パイプが取付けられているので、U字型のカバー用支柱の一対を勘合立設し、ビニールやナイロンなどの合成樹脂フィルムで覆うことにより、所謂ビニールハウスと呼ばれる温室栽培が可能となる。特に、高層マンションなどのベランダにおいては、寒風遮蔽、鳥害対策にも効果がある。
【００１１】
請求項２に係るプランタースタンドは、最上段の載置棚のプランター上面空間に位置する散水パイプを、プランター長手方向と平行に土壌・植物の一部を覆うように配設し、散水パイプを支持するアームの下端部を、プランター載置棚のサイド枠にチーズ等により枢着し、スプリング弾力でプランタースタンド上面内方に付勢保持する構成としているので、常時は、アームは垂直姿勢となっており、散水パイプはプランター上面に位置し、散水時は、植物あるいは土壌表面に散水することが出来ような構成となる。
散水パイプは、スプリングにより付勢保持されているのみであるから、外部後方に容易に傾動し移動させることができ、プランターをプランター載置棚に上部から容易に載置、あるいは外部移動させることができる。
【００１２】
請求項３に係るプランタースタンドは、プランター載置棚の上部空間に水平に配設した散水パイプの両端が開口されており、ホースを嵌め給水、あるいは排水できるようになっているので、使用するプランター１個を１基のスタンドに置く場合は、水平姿勢の散水パイプの片方の開口部に給水ホースを嵌め、もう一方端の開口部には栓を詰めて止水する。片方の開口部から給水された水は、散水パイプの円周下部に設けた散水穴から下方に向かって散水することができる。
【００１３】
プランタースタンドの散水パイプは、その両端を開口させ、給水、栓による止水を必要に応じて簡単に実施できるようにしているので、ベランダ幅のほぼ全長にわたって複数のプランターを設置し、植物栽培にもできようできる。また、植物に対し必要な水遣り水量と期間を決めれば、貯水タンクあるいは水道から連続的に散水できるので、栽培する人が長期間不在であっても、その間水遣りを自動化できる。
【００１４】
請求項４に係るプランタースタンドは、プランタースタンドの散水パイプ支持アーム側のスタンド脚柱下部端に、スタンド脚柱長さを調整するためのパイプが固定自在に枢着されており、スタンド脚柱に枢着したパイプにより、スライド調整し、排水溝の深さに応じて保持ボルトにより任意の位置に固定できるようになっているので、スタンド脚柱位置が排水溝にかかる場合であっても、溝深さだけスタンド脚柱を長くセットしてプランタースタンド全体を水平に設置できる。
したがって、大方のベランダにおいて、排水をスムースにするために、床面の周囲に沿って、あるいはベランダ手摺側面に沿って浅い排水溝が設けられている場合にも簡易に適用できる。
【００１５】
以上、詳しく説明したように本考案のプランタースタンドは、ベランダ等に設置して植物栽培、鑑賞するに好適なものであり、特に、ベランダにおけるプランターを用いた植物栽培において、簡便な給水機能を有し、余剰の水や漏洩土壌の簡便処理、温室機能、スタンドの安定据付を達成し、かつ低コストなものとすることができる。
【考案を実施するための最良の形態】
【００１６】
次に本考案のプランタースタンドについて、実施の形態により詳細に説明する。図１は、本考案のプランタースタンドの構造を示す斜視図である。図２は、スタンド脚柱によりカバー用支柱をセットする説明図である。図３は、スタンド脚柱下部に取付けるスタンド脚柱調整パイプの断面図である。図４は、散水パイプ支持のアームをスプリングにより、後傾動する機構の説明図である。図５は、本考案のプランタースタンドの複数を連結して使用する場合の連結状態を示した概略説明図である。
【００１７】
（実施の形態）
図１は本考案のプランタースタンドの構造を示す斜視図である。本考案のプランタースタンド１は、図示するように、４隅のスタンド脚柱（２ａ、２ｂ、２ｃ、２ｄ）の、最上部端を結ぶように保護枠３が配設されている。さらにスタンド脚柱の中間部にプランター載置棚４が配設され、下部には水受け載置棚５が配設されている。
なお、プランター載置棚４と水受け載置棚５との位置関係は、プランタースタンドの最上段にプランター載置棚４が位置し、その下段（次段）に水受け載置棚５が位置している。
【００１８】
保護枠３の上部空間内には、プランタースタンド１の長手方向に平行に、散水パイプ６が垂直に立設するアーム７により配設されており、散水パイプ６の下部には、散水のための複数の散水穴６ａが設けられている。また、散水パイプの両端には、開口部６ｂが設けられ、閉栓６ｃおよび給水ホース６ｄを必要に応じて嵌め込むことができるようにされている。
【００１９】
プランタースタンド１の４隅のスタンド脚柱の下部には、カバー用支柱５０（図２参照）を差し込むことのできる支柱受けパイプ８が設けられている。
また、プランタースタンド１の散水パイプ６を配設した側の２本のスタンド脚柱（２ａ、２ｄ）の最下端部には、スタンド脚柱長さ調整用パイプ９が上下スライド自在に装着されており、スタンド脚柱長さ調整用パイプ９の上部に設けられた固定ボルト９ａによりスライドさせて位置を変え固定し、スタンド脚柱長さの調整をできるようにしている。
【００２０】
なお、プランタースタンド１、散水パイプ６、アーム７、支柱受けパイプ８、スタンド脚柱長さ調整用パイプ９などに用いる素材としては、いずれも塩化ビニールなどプラスチック製のパイプおよび継ぎ手を利用して好適に組み立てることができる。プラスチック以外の素材としてアルミや鋼鉄製のパイプ、棒や継ぎ手でも組み立てることが出来る。
【００２１】
図２は、プランタースタンドに、プランター１０および水受け１１を載置した状態を示す説明図である。図２において、上段のプランター１０の上部空間には、アーム７により支えられた散水パイプ６が配設されており、支柱受パイプ８には、Ｕ字型のカバー用支柱５０を差し込むことができ、その位置はプランタースタンドの幅よりも広くなるように枝管８ａにより外方に突き出た構造としている。
【００２２】
図３は、スタンド脚柱下部に取付けるスタンド脚柱調整パイプの断面図であり、ベランダ床面２０の排水溝２０ａにスタンド脚柱が配置された場合に、スタンド脚柱長さ調整用パイプ９の状態を示している。
図３に示すように、スタンド脚柱長さ調整用パイプ９は、排水溝２０ａの深さ分だけ下方にスライドされ固定ボルト９ａにより固定できるようになっている。
【００２３】
図４は、散水パイプ支持のアームをスプリングにより後傾動する機構の説明図であり、散水パイプ６が、散水パイプ支持アーム７とそれに取り付けられたスプリング３０により、プランタースタンド１上部の内方に向かって付勢保持された状態を示している。
コの字型のアーム７は、その最下端に固着したチーズ７ａにより、プランター載置棚４に自在枢着されている。スプリング３０の一端をプランター載置棚４のスプリング固定穴３１に挿入固着し、他端をアーム７のスプリング固定穴（アーム側）３２に挿入固着する。このスプリング３０の弾力で、常時、散水パイプ支持アーム７は垂直になるように付勢保持さてれている。
プランター載置棚４にプランターを載置または取り外し移動するときは、アーム７をスプリング３０の反力に抗して後方に傾動させ点線位置へ外すことができ、プランターの載置や取り外しに際し邪魔にならないようにしている。
【００２４】
図５は、本考案に係るプランタースタンドを、ベランダ床面で３基連結使用した状態を示す概略説明図である。複数のプランターを連結する場合は、最端のスタンドの散水パイプから給水し、中間部のスタンドは散水パイプの両端開口部をホースで連結し、一方の端のスタンドの散水パイプ末端は栓を詰めて止水する。図５に示すスタンドは連結して給水することが出来るので、簡単な作業で複数のプランターに、短時間で簡単に散水でき便利である。
図５に示すように、貯水タンク４０の下部蛇口からの給水ホース６ｄは同図右端のプランタースタンドの散水パイプ６に嵌め込まれる。給水は連結ホース６ｅにより中間の散水パイプを通り、末端の閉栓６ｃまで到達するが、その間散水穴からプランター上面に散水される。本実施の形態では、給水源をベランダに簡単に設置できる貯水タンク４０としたが、ベランダに水道蛇口が設けられている場合は、水道水から直接供給することもできる。
【産業上の利用可能性】
【００２５】
本考案は、簡単な構造で、特に、ベランダにおいて使用されるプランターによる植物栽培において、簡便な給水機能を有し、余剰の水や漏洩土壌の簡便処理、温室機能、スタンドの安定据付という課題を達成し、かつ低コストなプランタースタンドを提供できるものである。
【図面の簡単な説明】
【００２６】
【図１】は、本考案のプランタースタンドの構造を示す斜視図である。
【図２】は、スタンド脚柱によりカバー用支柱をセットする説明図である。
【図３】は、スタンド脚柱下部に取付けるスタンド脚柱調整パイプの断面図である。
【図４】は、散水パイプ支持のアームをスプリングにより、後傾動する機構の説明図である。
【図５】は、本考案のプランタースタンドの複数を連結して使用する場合の連結方法を説明した概略図である。
【符号の説明】
【００２７】
１  プランタースタンド
２ａ，２ｂ，２ｃ，２ｄ  スタンド脚柱
３  保護枠
４  プランター載置棚
５  水受け載置棚
６  散水パイプ
６ａ  散水穴
６ｂ  開口部（両端）
６ｃ  閉栓
６ｄ  給水ホース
７  アーム
７ａ  チーズ
８  支柱受パイプ
８ａ  枝管
９  スタンド脚柱長さ調用パイプ
９ａ  固定ボルト
１０  プランター
１１  水受け
２０  ベランダ床
２１  排水溝
３０  スプリング
３１  スプリング固定穴
３２  スプリング固定穴（アーム側）
４０  貯水タンク
５０  カバー用支柱
【図１】
0003107520.tif 000003
【図２】
0003107520.tif 000004
【図３】
0003107520.tif 000005
【図４】
0003107520.tif 000006
【図５】
0003107520.tif 000007